Podtech/llm-jp-corpus-v4-ja_patent huggingface dataset:
(57)【要約】      （修正有）【課題】既存の不織布マスクに重ねて使うことによって使用者自身の呼吸による保湿効果を高め喉に優しいマスクとなり、場合によってはおしゃれ感も出せるガーゼを提供する。【解決手段】本考案はマスク本体部と取り付け用挿通孔１及びずれ防止の為の折り返し部２からなる取り替えガーゼ３である。これを不織布マスク４の内側に重ねて使用することにより、乾燥しがちな喉に使用者自身の呼吸による保湿効果が得られる。またデザイン性のある物を外側に重ねて使用することにより無機質な不織布マスク４をおしゃれに使う事が出来る。【選択図】図１
0003204220.tif 000002
【実用新案登録請求の範囲】
【請求項１】
左右に耳掛け紐を取付け顔面装着時に口及び鼻孔を覆うマスクにおいて、顔面に接する側に布材の当てガーゼを装着するに、ガーゼの左右をマスクよりやや大き目にして耳掛け紐を挿通する縦長の挿通孔を設け、挿通孔に左右の耳掛け紐を通してマスクと重ねて口及び鼻孔を覆うガーゼを取付け取替え可能に装着したことを特徴とするマスクの取替えガーゼ。
【請求項２】
ガーゼ上部にずれ防止の為の折返し部を設け、マスクの上面を上記折返し部に挿入して使用することを特徴とする請求項１記載のマスクの取替えガーゼ。
顔面に接する面に布材の当てガーゼを使用
【考案の詳細な説明】
【技術分野】
【０００１】
本考案は、既存の不織布マスクを使用者自身の呼吸により保湿効果を高め喉に優しい物にしたり、無機質な不織布マスクをおしゃれなものにする為、既存の不織布マスクに重ねて使用する取替えガーゼに関するものである。
【背景技術】
【０００２】
従来は、素材そのものの保湿効果を高めたり、肌に優しい物の考案や使い捨てマスクを覆うカバータイプの考案はあったが、既存の物に簡易に重ねて取り付けるタイプの物は無かった。
【先行技術文献】
【特許文献】
【０００３】
【特許文献１】実用新案登録第３０８０５５１号
【特許文献２】実用新案登録第３０２１７８６号
【考案の概要】
【考案が解決しようとする課題】
【０００４】
解決しようとする問題点は、既存の綿ガーゼマスクは使用者自身の呼吸による保湿性は良かったが細菌やウイルス飛沫の侵入を防ぐ能力が低く、不織布マスクは細菌やウイルス飛沫の侵入を防ぐ能力は高いが保湿性が少ないという欠点があった。また、不織布マスクは無機質でおしゃれ感がないという欠点もあった。本考案は、この課題を解消する為になされたものである。
【課題を解決するための手段】
【０００５】
本考案は、マスク部と取り付け部からなる。素材は綿ガーゼ。取り付け部はマスク部の左右両端に挿通孔を作り、そこに不織布マスクの耳紐を挿通し重ねる。保湿目的では不織布マスクの内側に、おしゃれ目的では不織布マスクの外側に、重ねて使う所を特徴とする。
【考案の効果】
【０００６】
本考案は、不織布マスクに重ねて使うことにより、使用者自身の呼吸により保湿性が高まり喉に優しいという利点がある。また、衛生面から頻繁にガーゼ部を交換出来るという利点もある。
【図面の簡単な説明】
【０００７】
【図１】図１は本考案の挿通孔を利用して内側に重ねて使用時の図である。
【図２】図２は本考案の平面図である。
【図３】図３は本考案の上部折り返し部の断面図である。
【考案を実施するための形態】
【０００８】
喉の保湿をしたい時、不織布マスクの内側に重ねて使用する。耳紐を本考案の挿通孔に通し簡単に重ねられるようにした。おしゃれ目的では不織布マスクの不織布マスクの外側に重ねて使用することも可能である。
【実施例１】
【０００９】
図１は、本考案を重ねて使用時の図である。
【００１０】
図２は、本考案の平面図である。
【００１１】
図３は、本考案を重ねて使用時の断面図であって、上部折り返し部に不織布マスクの上部を差し込んで使用する。
【産業上の利用可能性】
【００１２】
本考案は、広く日常生活において、喉の保護や花粉対策及び細菌やウイルス飛沫感染の予防の為マスクを使用する際に利用される。
【符号の説明】
【００１３】
１    本考案の左右両端の挿通孔
２    本考案の上部折り返し部
３    本考案の取り替えガーゼ
４    不織布マスク
５    耳かけ紐    
【図１】
0003204220.tif 000003
【図２】
0003204220.tif 000004
【図３】
0003204220.tif 000005
【手続補正書】
【提出日】平成28年3月14日(2016.3.14)
【手続補正１】
【補正対象書類名】実用新案登録請求の範囲
【補正対象項目名】全文
【補正方法】変更
【補正の内容】
【実用新案登録請求の範囲】
【請求項１】
左右に耳掛け紐を取付け顔面装着時に口及び鼻孔を覆うマスクにおいて、顔面に接する側に布材の当てガーゼを装着するに、ガーゼの左右をマスクよりやや大き目にして耳掛け紐を挿通する縦長の挿通孔を設け、挿通孔に左右の耳掛け紐を通してマスクと重ねて口及び鼻孔を覆うガーゼを取付け取替え可能に装着したことを特徴とするマスクの取替えガーゼ。
【請求項２】
ガーゼ上部にずれ防止の為の折返し部を設け、マスクの上面を上記折返し部に挿入して使用することを特徴とする請求項１記載のマスクの取替えガーゼ。
(57)【要約】      （修正有）【課題】繊維製品を保管する収納具において、防塵性と通気性を有し、簡易的に中身を確認でき、さらに意匠性を高めることを目的とする。【解決手段】繊維製品を収納する収納具において、不織布ａからなる外装部分の少なくとも一部が透明フィルムと透かしレースを貼り合せた部分ｂからなり、該部分ｂから簡易的に中身が確認できるようにしたものである。また、前記収納具に湿気センサーｃを備え付けてもよい。【選択図】図１
0003204273.tif 000002
【実用新案登録請求の範囲】
【請求項１】
繊維製品を収納する収納具において、不織布からなる外装部分の少なくとも一部が透明フィルムと透かしレースを貼り合せた部分からなり、該部分から中身が確認できることを特徴とする収納具。
【請求項２】
湿気センサーを備えた請求項１の収納具。
【考案の詳細な説明】
【技術分野】
【０００１】
本考案は、防塵性と通気性とを兼ね備え、簡易的に中身の確認ができ、さらに意匠性を高めた、繊維製品の収納具に関するものである。
【背景技術】
【０００２】
衣料や寝具などの繊維製品の収納具として、軽量でコンパクトな収納具が種々提案されている。繊維製品を収納具中に保管している間に塵により汚れないように、ある程度の防塵性があり、同時に、保管中に湿気がこもることによりカビや雑菌が増殖しないように、ある程度の通気性のある材料が用いられている場合が多い。具体的には、防塵性・通気性・柔軟性を有する織編み生地や、不織布などの布帛が用いられている。特に、不織布は包装材料として十分な強伸度を有しており、かつ安価なことから製品化されている事例が多く見受けられる。
この収納具に意匠性を施すため、材料となる布帛を着色したり、種々の柄や文字などを印刷した製品も提案されている。
一方、収納具がすべて不透明な布帛などで構成されている場合、そのままでは中身が確認できないため、その都度収納具を開けて確認する必要があった。その手間を防ぐため、収納具の一部を透明なフィルムで構成することにより中身が確認できる工夫も提案されている。たとえば文献１では、収納箱を重ねても中身が確認できるように、ダンボール材と透明材料を組み合わせた衣料ケースが提案されている。また文献２では、衣料カバーの生地の一部に透明フィルムを組み込み、中身が確認できるように工夫したものが提案されている。しかし、この収納具の一部である透明部分に、中身の確認を阻害しない程度にレースなどの装飾を組み合わせることで、意匠性を付与した事例はない。
【先行技術文献】
【特許文献】
【０００３】
【特許文献１】実用新案第３０９６５３０号
【特許文献２】実用新案第３１６６６５９号
【考案の概要】
【考案が解決しようとする課題】
【０００４】
本考案は、繊維製品を保管する収納具において、防塵性と通気性および簡易的に中身を確認できるものであり、さらに意匠性を高めることを目的とする。
【課題を解決するための手段】
【０００５】
上記目的を達成するために、繊維製品を収納する収納具において、不織布からなる外装部分の少なくとも一部が透明フィルムと透かしレースを貼り合せた部分からなり、該部分から簡易的に中身が確認できるようにしたものである。また、前記収納具に湿気センサーを備え付けてもよい。
【考案の効果】
【０００６】
本考案は、不織布を使用する収納具であり、さらに簡易的に中身を確認するため、不織布からなる外装部分の少なくとも一部に透明フィルムの確認窓を有し、この透明フィルムの確認窓に透かしレースを装飾し、製品として意匠性を高めた収納具である。
本考案に用いる不織布は、汎用のポリプロピレン製のスパンボンド、あるいはスパンボンドとメルトブローンを組み合わせた多層不織布を用いることができる。いずれも良好な通気性を有しており、湿気がこもることはない。メルトブローンを組み合わせた多層不織布は、高度のフィルター機能を有しているため、より高い防塵性を発揮できる。
この不織布には、必要に応じて原着方式で顔料や染料を練り込み着色したものを用いることもでき、さらにグラビア印刷などによって、所定の柄を印刷して、意匠性を付与することができる。
本考案の収納具には、簡易的に中身を確認するために、少なくとも一部に透明フィルムからなる確認窓を有しており、この確認窓に透かしレースを貼り合せることで、意匠性を高めることができる。透かしレースの種類は、中身が確認できる程度に遮蔽するものであれば特に限定されず、花柄や動物柄など自由に意匠のコンセプトに沿って用いることができる。透かしレースは、確認窓の内側、外側のどちら側にも貼り合せることができる。
さらに、中身の湿度を監視するため湿気センサーを備え付け、収納中の状態を把握することもできる。湿気センサーは、湿気を感知して色の変わるものなどを用いてもよい。
【図面の簡単な説明】
【０００７】
【図１】透かしレースつき透明フィルムにより、中身の確認できる衣料カバー
【図２】透かしレースつき透明フィルムにより、中身の確認できる衣料袋
【図３】透かしレースつき透明フィルムにより、中身の確認できる収納ケース
【符号の説明】
【０００８】
（ａ）：不織布
（ｂ）：透かしレースと透明フィルムからなる確認窓
（ｃ）：湿気センサー
【図１】
0003204273.tif 000003
【図２】
0003204273.tif 000004
【図３】
0003204273.tif 000005
(57)【要約】      （修正有）【課題】必要に応じて、遮光エリアや目隠しエリアを自在に簡易的に設定できるスダレである構造を提供する。【解決手段】面ファスナー１を、窓サッシの上部、窓サッシ取り付け枠の上部、窓ガラス、網戸の上部、カーテンレールのうちの少なくとも一部に取り付け、面ファスナー１と係合する面ファスナー２（Ｆ）をスダレの上部Ｂに取り付け、該スダレを、面ファスナー１を取り付けた部分に自在に脱着を可能とした。さらに、該スダレは、ヒモＣによる巻き上げ固定具を備えており、展開面積を自在に調整できるものとした。【選択図】図２
0003204274.tif 000002
【実用新案登録請求の範囲】
【請求項１】
面ファスナー１が、窓サッシの上部、窓サッシ取り付け枠の上部、窓ガラス、網戸の上部およびカーテンレールのうちの少なくとも一部に取り付けられ、面ファスナー１と係合する面ファスナー２がスダレの上部に取り付けられ、該スダレが、面ファスナー１を取り付けた部分に自在に脱着可能とした構造であり、該スダレがヒモによる巻き上げ固定具を備えたスダレである構造。
【請求項２】
前記スダレが、ポリプロピレン製の中空成形体からなるスダレである、請求項１の構造。
【考案の詳細な説明】
【技術分野】
【０００１】
本考案は、窓の付近に設置するスダレに関し、遮蔽するエリアを自在に設定できる構造を提案するものである。
【背景技術】
【０００２】
窓の近くに設置される通気性のあるスダレには、日光を遮光する目的や、屋外から内部が見えるのを防ぐ目隠しを目的として用いられている。通常、窓に取り付けるスダレは、その窓全体を覆う大きさのものが用いられ、また窓の外に固定具を用いて吊り下げる方式で設置されるものが多い。この場合、いったん設置すると、設置場所を移動したり撤去したりするには手間がかかっていた。
一方、必要に応じて、遮光エリアや目隠しエリアを自在に設定したいという要望に応えるため、窓や網戸にスダレを自在に設置したり、簡易的にスダレの巻き上げ固定ができる方法が提案されている。
例えば、特開２００２−２４２５６４号には、網戸に着脱自在なスダレが提案されているが、磁石と金属材を用いた複雑な構造であり、いったん取り付け箇所を固定してしまうと、取り付け場所の変更には手間のかかるものであった。
また、実用新案登録第３１４２５２２号には、面ファスナーを、スダレとこれを取り付ける窓サッシや窓ガラスなどに取り付け、スダレを着脱可能とする構造が提案されている。簡易的な方法ではあるが、この中で提案されているスダレの巻き上げについては、スダレの表と裏に面ファスナーを取り付けておき、下から少しずつ丸めながら面ファスナーを係合させる方法であり、やはり手間のかかるものであった。
また、スダレを簡易的に巻き上げ、所定の位置で固定する方法については、例えば特開２０１４−１２８３７４号に、ヒモと穴開きガイドとストッパーからなる簡易巻き上げ固定具が提案されている。
【先行技術文献】
【特許文献】
【０００３】
【特許文献１】特開２００２−２４２５６４号公報
【特許文献２】実用新案登録第３１４２５２２号
【特許文献３】特開２０１４−１２８３７４号公報
【考案の概要】
【考案が解決しようとする課題】
【０００４】
本考案は、必要に応じて、遮光エリアや目隠しエリアを自在に簡易的に設定できる要望に応えるものである。
【課題を解決するための手段】
【０００５】
上記課題を解決するために、面ファスナー１を、窓サッシの上部、窓サッシ取り付け枠の上部、窓ガラス、網戸の上部、カーテンレールのうちの少なくとも一部に取り付け、面ファスナー１と係合する面ファスナー２をスダレの上部に取り付け、該スダレを、面ファスナー１を取り付けた部分に自在に脱着可能とする構造とし、さらにスダレがヒモによる巻き上げ固定具を備えたスダレである構造とするものである。
また、スダレの材料は、軽量なポリプロピレン樹脂からなる中空成形体を採用することにより、軽量で取扱い性のよいスダレとすることができる。このポリプロピレン樹脂中には、必要に応じて着色剤や防虫剤、抗菌剤、抗カビ剤、香料などを練り込み、その効果を発揮することもできる。
【考案の効果】
【０００６】
スダレを取り付ける候補となる箇所、例えば窓サッシの上部、窓サッシ取り付け枠の上部、窓ガラス、網戸の上部、カーテンレールなどに、あらかじめ面ファスナー１を取り付けておき、スダレの上部の裏面に面ファスナー１と係合する面ファスナー２を取り付けておくことで、スダレを簡単に取り付け又は取り外しができる。
日中の日差しは刻々と変化するため、遮光を必要とする個所も刻々と変化するが、本提案により簡易的にスダレを脱着することで対応できる。たとえば、東西に窓がある部屋の場合、午前中は東面の窓にスダレを設置して遮光し、午後は西面の窓にスダレを移動することができる。
また、ヒモによる簡易的な巻き上げ又は巻き下ろしが可能であり、ストッパーにより展開面積も自在に設定できるため、例えば窓の上部に取り付けて中間まで巻き上げ固定すれば、窓の上半分のみを遮蔽することができる。また、窓の中央に面ファスナー１を取り付けておけば、窓の下半分のみを遮蔽することもできる。
毎日の生活の中で、必要とする遮光エリアや、必要とする目隠しエリアは絶えず変化している。本提案は、脱着容易なスダレの取り付け箇所の自由度と、スダレの展開面積の自由度とを組み合わせにより、この変化に対応することができる。
【実施例】
【０００７】
図１、２に示すように、ヒモによる巻き上げ固定具を備えたスダレの上部背面に、面ファスナー２を取り付ける
【０００８】
図３、４、５に示すように、面ファスナー２を取り付けたスダレを設置する候補の箇所に、面ファスナー１を取り付けておき、簡易的に着脱ができる。
【図面の簡単な説明】
【０００９】
【図１】前面から見たスダレ
【図２】背面から見たスダレ
【図３】面ファスナーを取り付けた窓サッシ
【図４】面ファスナーを取り付けた窓
【図５】面ファスナーを取り付けた窓サッシ取り付け枠
【符号の説明】
【００１０】
A：スダレ本体
B：スダレ上部
C：巻き上げ用ヒモ
D：巻き上げヒモガイド
E：ヒモストッパー
F：面ファスナー２
G：窓サッシ
H：窓ガラス
I：面ファスナー１
J：窓サッシ取り付け枠
【図１】
0003204274.tif 000003
【図２】
0003204274.tif 000004
【図３】
0003204274.tif 000005
【図４】
0003204274.tif 000006
【図５】
0003204274.tif 000007
(57)【要約】      （修正有）【課題】結露が水滴になり流れ落ちる量は、全結露の６０％程度で、残りは窓ガラスに付着したまま気温の上昇とともに蒸発し消失する。結露を漏れなく完全に回収するためには、窓ガラスの最上部から強制的に押し流す必要があり、その作業を手動で毎朝行うことは大変である。本考案は、上記のような煩雑さを解消し、結露を漏れなく完全に回収するための自動結露回収システムを提供する。【解決手段】窓ガラスの最上部に長さ約１００ｃｍのＬ字プレート２を窓ガラスの横枠と平行に貼り付け、それに形状記憶ポリマー性カールコード１付円柱のバー３を吊り下げ、ガラス戸の底部には排水管付Ｕ字形ケース５を窓ガラスの横枠に対してやや斜めに貼り付け、Ｕ字形ケースの排水管６にチューブを差し込み、そのチューブを専用ペットボトルの口に挿入した自動結露回収システム。【選択図】図１
0003204230.tif 000002
【実用新案登録請求の範囲】
【請求項１】
窓ガラスの最上部に長さ約１００ｃｍのＬ字プレートを窓ガラスの横枠と水平に貼り付け、それに形状記憶ポリマー性カールコード付円柱バーを吊り下げ、窓ガラスの底部には排水筒付Ｕ字形結露水回収ケースを窓ガラスの横枠に対してやや斜めに貼り付け、Ｕ字形結露水回収ケースの排水筒にチューブを差し込み、そのチューブを介し専用ペットボトルに結露水を貯蔵する自動結露回収システム。
【請求項２】
円柱のバーに約５ｃｍ間隔で深さ３ｍｍ程度の溝を設けた請求項１の自動結露回収システム。
【考案の詳細な説明】
【技術分野】
【０００１】  本考案は寒い時期、外気と室内の温度差により窓ガラスに発生する結露を自動的にペットボトルなどの容器に回収する結露自動回収システムに関するものである。このシステムで回収した結露水はトイレの流水用として、また、花や野菜などの給水用として利用することができる。
【背景技術】
【０００２】  窓ガラスに発生した結露を雑巾で拭き取っていたが、ちりとりの形をした水滴ワイパーが発明され、結露の回収に使用されるようになった。（特許文献１参照）
窓ガラスの底部に回収装置を設け、流れ落ちてくる結露水を回収し、水受け容器に貯蔵する方法も発明されている。（特許文献２参照）
【先行技術文献】
【特許文献】
【０００３】
【特許文献１】  特開平０８−２９９２２９号公報
【特許文献２】  特開平１１−２９４０３１号公報
【考案の概要】
【考案が解決しようとする課題】
【０００４】  結露が水滴になり流れ落ちる量は、発生した全結露の６０％程度で、残りは窓ガラスに付着したまま気温の上昇とともに蒸発し消失する。結露を漏れなく完全に回収するためには、窓ガラスの最上部から強制的に押し流す必要があり、その作業を手動で毎朝行うことは大変である。
本考案は、以上のような煩雑さを解消し、結露を漏れなく完全に自動回収するためになされたものである。
【課題を解決するための手段】
【０００５】  窓ガラスの最上部、横枠の真下に長さ約１００ｃｍのＬ字プレートを横枠と平行に貼り付ける。Ｌ字プレートの貼り付ける側の面には着脱可能な接着剤を塗布しておく。
Ｌ字プレート３か所に形状記憶ポリマー性カールコードを介して、長さ約１００ｃｍ、直径１ｃｍの円柱のバーを吊り下げる。円柱のバーの表面には約５ｃｍ間隔で深さ３ｍｍ程度の溝を設ける。
下に付いている円柱のバーは、形状記憶ポリマー性カールコードが気温差によって伸縮を繰り返すたびに上下に動き結露を掻き集め、結露水として窓ガラスの下方に押し流す。
上方から流れ落ちてくる結露水を回収するために長さ約１００ｃｍ、縦４ｃｍ、奥行き約１ｃｍのＵ字形結露水回収ケースを窓ガラスの底部、横枠に対してやや斜めに接着剤の塗布している面を貼り付ける。
流れ込んだ結露水はＵ字形結露水回収ケースの端に設けた排水筒からチューブを介し専用のペットボトルに貯蔵される。
本考案は、以上のような構成よりなる結露自動回収システムである。
【考案の効果】
【０００６】  温度の変化によって伸縮する形状記憶ポリマー性カールコードを利用することで、時間に関係なく自動的に発生した結露を掻き集め下方に押し流し回収することができ、流れ落ちてくる結露水のみを回収する方法とは違い漏れなく完全な回収が可能になった。
回収できる結露水の量は、室内の湿度と外気との温度差に左右されるが１日１〜２ｌにもなり、貴重な水資源として利用できる。
【図面の簡単な説明】
【０００７】
【図１】本考案を正面からみた全体図である。
【図２】形状記憶ポリマー性カールコードで円柱バーを上部に吊るしたときの拡大斜視図ある。
【図３】形状記憶ポリマー性カールコードが伸びた状態を示す拡大斜視図である。
【図４】Ｕ字形結露回収ケースに取り付ける排水筒の位置を示す拡大斜視図である。
【図５】回収した結露水を排水筒からチューブを介し専用ペットボトルに貯蔵する実施図である。
【考案を実施するための形態】
【０００８】  以下、本考案の実施の形態を説明する。
窓ガラスの最上部に長さ約１００ｃｍのＬ字プレート（２）を窓ガラスの横枠と平行に貼り付け、それに形状記憶ポリマー性カールコード（１）付円柱バー（３）を吊り下げる。（図２参照）
窓ガラスの底部には流れ落ちてくる結露水（９）を回収するための排水筒（６）付Ｕ字形結露水回収ケース（５）を窓ガラスの横枠に対してやや斜めに貼り付ける。（図４参照）
底部に取り付けられたＵ字形結露水回収ケース（５）の排水筒（６）にチューブ（１０）を取り付け、そのチューブ（１０）を専用ペットボトル（１１）の口に挿入する。（図５参照）
本考案は以上のような構造である。
本考案の作用機序は、冬季の窓ガラス付近の温度（約５℃〜約１８℃）によって形状記憶ポリマー性カールコード（２）が伸縮を繰り返し、吊り下げられた円柱のバー（３）は上下に動き結露を下方に押し流すか上方に押し上げる。（図３参照）
結露は、円柱バー（３）によってかき集められ結露水（９）となって下方に流れ落ちる。流れ落ちてくる結露水（９）は窓ガラスの底部に取り付けられたＵ字形結露水回収ケース（５）に流れ込み、排水筒（６）からチューブ（１０）を介して専用ペットボトル（１１）に貯蔵される。（図５参照）
【符号の説明】
【０００９】１形状記憶ポリマー性カールコード、２Ｌ字プレート、３円柱バー、４溝、
５Ｕ字形結露水回収ケース、６排水筒、７窓ガラス、８窓枠、９結露水、１０チューブ、１１専用ペットボトル
【図１】
0003204230.tif 000003
【図２】
0003204230.tif 000004
【図３】
0003204230.tif 000005
【図４】
0003204230.tif 000006
【図５】
0003204230.tif 000007
(57)【要約】      （修正有）【課題】筆記動作中でも手を使う他の仕事をすることができる指先型筆記具を提供する。【解決手段】筆記具の持つ筆記機能と、指サック等の指につける機能を組み合わせることによって指に装着して、指の筆記動作だけで筆記を可能とする。複数の指で保持する必要性が減って、容易に他の動作が可能となる。【選択図】図３
0003204125.tif 000002
【実用新案登録請求の範囲】
【請求項１】
指サック等が持っている指にくっつける機能と、筆記具の筆記する機能を組み合わせて、筆記機能を指につけて実施することを特徴とする指先型筆記具。
【考案の詳細な説明】
【技術分野】
【０００１】  本考案は、ボールペンや鉛筆や万年筆、あるいはフェルトペンなどの筆記具の有する筆記機能と、指サックなどの持つ指にくっつける機能を組み合わせた、新しい指先型筆記具に関するものである。
【考案の概要】
【考案が解決しようとする課題】
【０００２】  従来の筆記具は筆記動作中に筆記具を数本の指で保持している必要がある。従って、指にくっつけることによって保持の動作を容易なものとして、解決しようとするものである。
【考案が解決するための手段】
【０００３】  本考案による指につける指先型筆記具では、従来の筆記具の筆記機能と、指サック等の指につける機能を組み合わせることによって、解決する。
【０００４】  指サック等はゴムで出来たものやプラスティック製などであり、指を挟む、または指に圧力をかけることによって、あるいは、指を締め付けることなどによって指につけた状態を保持できる。
【０００５】  一方、指先部分に具備する筆記機能部分とは、鉛筆の芯部分や小型な鉛筆、またはボールペンの筆記機能部分、あるいは小型なフェルトペンや万年筆等であり、前述の指にくっつける機能と組み合わせることで、本考案である指につける指先型筆記具の実施が可能となる。
【図面の簡単な説明】
【０００６】
【図１】筆記機能部分と指サック機能を組み合わせた指先型筆記具
【図２】紐で指につけた指先型筆記具の実施例
【図３】ボールペンのインク部分で指につけた指先型筆記具の実施例
【実施例】
【０００７】  以下、添付図面に従って実施例を説明する。１３は筆記機能部分であり、１４は筆記機能の一部である一例としてのフェルト芯部分である。１２は指サックの一部分であり、筆記機能を指にくっつけることにより、１１の指での筆記が可能となり、本考案の指につける指先型筆記具が実施される。【０００８】  紐で指につけた指先型筆記具の実施例では、２４の紐を結ぶことによって指につける、あるいは装着することで、２１の指の動作で筆記を可能ならしめるものである。本考案の指につける指先型筆記具が実施される。【０００９】  ボールペンのインク部分で指つけた指先型筆記具の実施例では、ボールペンのインクを含んだ３２のボールペンインクの芯の部分をらせん状にして指に巻くことにより、指にくっつける、あるいは指に装着を可能として、本考案である指につける指先型筆記具が実施される。
【符号の説明】
【００１０】１１指
１２指サック機能部分
１３筆記機能部分
１４フェルト芯
１５爪
２１指
２２指サック機能部分
２３筆記機能部分
２４紐で指にくっつける部分
２５爪
３１指
３２指サック機能部分であるボールペンインク部分の芯
３３筆記機能部分
３５爪
【図１】
0003204125.tif 000003
【図２】
0003204125.tif 000004
【図３】
0003204125.tif 000005
【手続補正書】
【提出日】平成28年2月19日(2016.2.19)
【手続補正１】
【補正対象書類名】実用新案登録請求の範囲
【補正対象項目名】全文
【補正方法】変更
【補正の内容】
【実用新案登録請求の範囲】
【請求項１】
筆記具の筆記する部分と、指自体にくっつける形状を組合せて、筆記部分を指につけて実施することを特徴とする指先型筆記具。
【手続補正２】
【補正対象書類名】明細書
【補正対象項目名】０００１
【補正方法】変更
【補正の内容】
【０００１】  本考案は、ボールペンや鉛筆や万年筆、あるいはフェルトペンなどの筆記具の有する筆記部分と、指サックなどの持つ指にくっつける形状を組み合わせた、新しい指先型筆記具に関するものである。
【手続補正３】
【補正対象書類名】明細書
【補正対象項目名】０００２
【補正方法】変更
【補正の内容】
【０００２】  従来の筆記具は筆記動作中に筆記具を数本の指で保持している必要がある。従って、指で持つのではなく指にくっつけることによって保持の動作を容易なものとして、解決しようとするものである。
【手続補正４】
【補正対象書類名】明細書
【補正対象項目名】０００３
【補正方法】変更
【補正の内容】
【０００３】  本考案による指につける指先型筆記具では、従来の筆記具の筆記部分と、指サックや包帯といった、指につける形状を組み合わせることによって、解決する。
【手続補正５】
【補正対象書類名】明細書
【補正対象項目名】０００５
【補正方法】変更
【補正の内容】
【０００５】  一方、指先部分に具備する筆記部分とは、鉛筆の芯部分や小型な鉛筆、またはボールペンの筆記機能部分、あるいは小型なフェルトペンや万年筆等であり、前述の指にくっつける形状と組み合わせることで、本考案である指につける指先型筆記具の実施が可能となる。
【手続補正６】
【補正対象書類名】明細書
【補正対象項目名】０００６
【補正方法】変更
【補正の内容】
【０００６】
【図１】筆記部分と指サックのようなくっつける形状を組み合わせた指先型筆記具
【図２】紐で指につけた指先型筆記具の実施例
【図３】ボールペンのインク部分で指につけた指先型筆記具の実施例
【手続補正７】
【補正対象書類名】明細書
【補正対象項目名】０００７
【補正方法】変更
【補正の内容】
【０００７】  以下、添付図面に従って実施例を説明する。１３は筆記部分であり、１４は筆記部分の一例としてのフェルト芯部分である。１２は指サック形状の一部分であり、筆記部分を指にくっつけることにより、１１の指での筆記が可能となり、本考案の指につける指先型筆記具が実施される。
【手続補正８】
【補正対象書類名】明細書
【補正対象項目名】００１０
【補正方法】変更
【補正の内容】
【００１０】  １１指  １２指サック形状部分  １３筆記具の部分  １４フェルト芯  １５爪  ２１指  ２２指サック形状部分  ２３筆記具の部分  ２４紐で指にくっつける部分  ２５爪  ３１指  ３２指サック形状部分を兼ねたボールペンインク部分  ３３筆記具の一部分  ３５爪
(57)【要約】      （修正有）【課題】子供の膝と肩に掛けるブランケットにぬいぐるみ玩具を止め着け、子供が喜んでブランケットを膝と肩に掛けたがり、しかも、掛けた後その位置がみだりに動かずしっかりと保持される子供用ブランケットを提供する。【解決手段】保温できるブランケットを膝と肩に掛けられる大きさにし、その裏面中央にぬいぐるみ玩具の背面を合わせ、玩具の首部を前記ブランケットの上縁部に結着した。【選択図】図１
0003204136.tif 000002
【実用新案登録請求の範囲】
【請求項１】
保温できるブランケットを膝と肩に掛けられる大きさにし、その裏面中央にぬいぐるみ玩具の背面を合わせ、玩具の首部を前記ブランケットの上縁部に結着した膝と肩に掛ける子供用ブランケット。
【考案の詳細な説明】
【技術分野】
【０００１】  本考案は、子供の膝と肩に掛けるブランケットに関する。
【背景技術】
【０００２】  衣服などにぬいぐるみ人形を止め着けたものは、特許文献１によって知られているが、子供の膝と肩に掛けるブランケットにぬいぐるみ人形を止め着けたものは見当たらない。
【先行技術文献】
【特許文献】
【０００３】
【特許文献１】  特開２００２−３６３８０６号公報
【考案の概要】
【考案が解決しようとする課題】
【０００４】  本考案の解決課題は、子供の膝と肩に掛けるブランケットにぬいぐるみ玩具を止め着け、子供が喜んでブランケットを膝と肩に掛けたがり、しかも、掛けた後に掛けた位置がみだりに動かずしっかりと保持されるようにすることにある。
【課題を解決するための手段】
【０００５】  子供が喜んでブランケットを膝と肩に掛けたがるようにするため、本考案は、ブランケットの裏面中央にぬいぐるみ玩具の背面を合わせて止め着けた。【０００６】  子供にブランケットを掛けた後、その位置がみだりに動かずしっかりと保持され、しかも、子供がぬいぐるみ玩具と対面できるようにするため、本考案は、ぬいぐるみ玩具の首部を前記ブランケットの中央の上縁部に結着した。
【考案の効果】
【０００７】  本考案のぬいぐるみ玩具は、その首部がブランケットの裏面中央に結着されているから、ぬいぐるみ玩具の首から下の体の部分はブランケットの上縁部からぶら下がった形になり、ぬいぐるみ玩具の背面とブランケットの裏面との間には空所（図１（ｂ）を参照）が形成される。したがって、子供は図２に示したように、容易にその空所に両手を挿し込んでぬいぐるみ玩具を抱っこすることができる。【０００８】  ぬいぐるみ玩具の背面はブランケットの裏面に合わされており、ぬいぐるみ玩具の頭部はブランケットの上縁部の上方に突出しているから、子供の膝と肩をこのブランケットで覆うと、ぬいぐるみ玩具の表面は子供の顔に向けられ、ぬいぐるみ玩具の顔面は子供の顔の高さに位置するようになる。したがって、ぬいぐるみ玩具を抱っこした子供は、鼻先のぬいぐるみ玩具と文字通りの対面をする（顔を合わせる）ことができる。【０００９】  ぬいぐるみ玩具は、ブランケットの中央の上縁部に結着されているから、子供がぬいぐるみ玩具を抱っこすれば、ブランケットの位置が定まり、足など動かしても、ブランケットが落ちたりずれたりすることがない。
【図面の簡単な説明】
【００１０】
【図１】本考案品の実施例で、（ａ）はブランケットを裏面からみた平面図、（ｂ）はそのＡ−Ａ断面図である。
【図２】本考案品の使用例を示す側面図である。
【考案を実施するための形態】
【００１１】  以下、本考案の実施の形態につき図を参照しながら説明する。
【実施例】
【００１２】  ブランケット１として多くの人に利用されるのは、タオルケットであるが、それに限られることはない。その形や大きさは、使用する子供５に合わせて、適宜決定する。
本考案品は、膝掛、肩掛けのみならず、寝具としても利用できるから、それを予定している場合には、そのことをも考慮して決めるべきである。
図示は省略したが、ブランケット１の一部を伸長させて、ぬいぐるみ玩具２の頭部４を支える形にしてもよいのはもちろんである。【００１３】  ぬいぐるみ玩具２の首部は、ブランケット１の中央の上縁部３に結着する。結着の手段としては、通常は縫着であるが、ぬいぐるみ玩具２を取り外して元のままのブランケット１として使用したいときのことを考慮し、ボタン、ホック、面ファスナーなどにすることもできる。ただし、引っ張るとすぐに取れてしまうようなものはあまり好ましくない。【００１４】  ブランケット１やぬいぐるみ玩具２に、子供の喜ぶ絵を描いたり飾りをつけたりすることは、特に推奨される。
【産業上の利用可能性】
【００１５】  本考案は、子供用の衣料品や玩具類を、製造販売したり、利用したりする産業分野で広く利用できる。
【符号の説明】
【００１６】  １    ブランケット
２    ぬいぐるみ玩具
３    ブランケット１の中央の上縁部
４    ぬいぐるみ玩具の頭部
５    子供
【図１】
0003204136.tif 000003
【図２】
0003204136.tif 000004
(57)【要約】【課題】  収容した生花を外部から見ることができ、収容した生花が蒸れたりすることなく長期間収容しておくことが可能で、生花を収容した状態のまま水遣りを行うことができる、組み立てと開閉が容易な生花用包装体を提供する。【解決手段】  透明な合成樹脂を材料に用い、収容した生花を外部から見ることを可能にし、通気孔８を設け、鉢花を長期間収容しておくことを可能にし、水遣り孔９を設け、鉢花を収容した状態で水遣りをすることを可能にし、一体型成形体とすることで容易に組み立てることを可能にし、スナップフィット７を設け、容易に開閉することができるように設計した。【選択図】図１
0003204139.tif 000002
【実用新案登録請求の範囲】
【請求項１】
透明の合成樹脂からなり、収容した生花を外部から見ることができ、通気孔を備え長期間生花を収容しておくことが可能で、生花を収容した状態のまま水遣り孔より水遣りが可能な、一体型成形体で組み立てが容易で、スナップフィットを備え、繰り返し容易に開閉できる、生花用包装体。
【考案の詳細な説明】
【技術分野】
【０００１】  本考案は、内部に生花等を収容するのに用いられる合成樹脂製の生花用包装体に関するものである。
【背景技術】
【０００２】  これまで、花卉商品を包装するために空気孔を備えた、組み立てが容易な一体型の厚紙製収納箱（特許文献１参照）や、合成樹脂製で通気性を確保した生花用容器（特許文献２参照）等が提示されている。しかし、合成樹脂製で、鉢花を収容したまま水遣りが可能で、開閉が容易な一体型の生花用包装体がなかった。
【先行技術文献】
【特許文献】
【０００３】
【特許文献１】実登３１１４２５０
【特許文献２】実登３１２８３２２
【考案の概要】
【考案が解決しようとする課題】
【０００４】  本考案は、容器に収容した生花を外部から見ることが可能で、包装体の内側が曇ったり収容した生花が蒸れたりすることなく長期間収容しておくことが可能で、生花を収容した状態のまま水遣りを行うことが可能で、組み立てと開閉が容易な生花用包装体を提供することを目的とする。
【課題を解決するための手段】
【０００５】  本考案は、課題を解決するために次の手段をとる。透明な合成樹脂を材料に用いることで収容した生花を外部から見ることを可能にし、側面に２つの通気孔８を設けることで、鉢花を長期間収容しておくことを可能にし、背面に水遣り孔９を設けることで、鉢花を収容した状態で水遣りをすることを可能にし、一体型成形体とすることで容易に組み立てることを可能にし、スナップフィット７を２ヶ所設けることで容易に開閉することができるように設計した。
【考案の効果】
【０００６】  透明な合成樹脂を材料として用いることで、収容した生花を外部から見ることが可能になり、水に濡れても強度が落ちることがない。背面に水遣り孔９を設けることで、鉢花を収容した状態でも水遣りをすることが可能になる。花器台３の底部に水抜きの孔は空いておらず、適量の水遣りを行った場合、鉢底より水が流れ出ても容器の底部に留まり、外部に漏れ出ることはない。側面に２つの通気孔８を設けることで、収容した生花からの蒸散や鉢からの蒸発によって容器の内側が曇ったり、収容した生花自体が蒸れてしまったりすることなく、長期間収容しておくことが可能になる。また、一体型成形体とすることで、部品点数が一点のみとなり、容易に組み立てることが可能になり、スナップフィット７を２ヶ所設けることで接着剤等を使うことなく、繰り返し容易に開閉することが可能になる。
【図面の簡単な説明】
【０００７】
【図１】  本考案の斜視図である。
【図２】  本考案の展開図である。
【図３】  本考案の側面図である。
【考案を実施するための形態】
【０００８】  図１のように、花器に入れた生花を花器台３に設置する。前面板１と背面板２を設置した生花を挟むように重ねあわせ、スナップフィット７で係止する。このとき、花器支持部４が花器を前後から支持することで花器が安定し、カプセル部５の中心に花が位置することでディスプレイ効果が高まる。側面に通気孔８が２ヶ所設けてあるため、この状態で長期間ディスプレイしておくこともでき、持ち運びたい場合は把手６に手をかけて持ち運ぶことできる。水遣りをする場合は、背板に空いた水遣り孔９より水遣りを行う。
【符号の説明】
【０００９】１    前面板
２    背面板
３    花器台
４    花器支持部
５    カプセル部
６    把手
７    スナップフィット
８    通気孔
９    水遣り孔
【図１】
0003204139.tif 000003
【図２】
0003204139.tif 000004
【図３】
0003204139.tif 000005
(57)【要約】      （修正有）【課題】部材が振動を受けてもフランジのバネが振動を吸収して部材に設けたボルトのネジが緩まないようにしたフランジのバネを設けたボルトのネジを提供する。【解決手段】ネジ３を設けたボルト１の一端にフランジ２を設けて、ボルトの底面９よりフランジ２の端は下に下げて段差を付けて設け、ボルト１の一端に設けたフランジ２の背面とボルトの底面９の境に溝４を設けて、フランジ２の外周の周囲に複数の切り溝５を設ける。【選択図】図６
0003204134.tif 000002
【実用新案登録請求の範囲】
【請求項１】
ネジ▲３▼を設けたボルト▲１▼の一端にフランジ▲２▼を設けて、ボルトの底面▲９▼よりフランジ▲２▼の端は下に下げて段差を付けて設ける。
ボルト▲１▼の一端に設けたフランジ▲２▼の背面とボルトの底面▲９▼の境に溝▲４▼を設けて、フランジ▲２▼の外周の周囲に複数の切り溝▲５▼を設ける。
以上のような構成で、フランジのスプリングとボルトのネジを一体化して作ったフランジのバネを設けたボルトのネジ。
【考案の詳細な説明】
【技術分野】
【０００１】  この考案は、フランジを設けたボルトのネジのフランジの一端に複数の溝を設けて、フランジをバネに作ったフランジのバネを設けたボルトのネジに関するものである。
【背景技術】
【０００２】  従来のフランジを設けたボルトのネジは、ネジを締めたときに接触をする面積を大きく作ってあるだけのために、部材を締めたフランジのボルトのネジに振動が伝わると、フランジのボルトのネジに振動が直接伝わって緩みやすい欠点があった。
【考案が解決しようとする課題】
【０００３】  本考案は、その欠点を無くするために、ボルトに設けたフランジの一端に複数の溝を設けてフランジをバネに作り、フランジのボルトのネジを部材に締めると、ボルトの底面とフランジのバネが同じに部材の表面を押し、フランジのボルトのネジに振動が伝わったときに、フランジのバネが振動を吸収してボルトのネジが緩まなくなることを課題に研究をすすめた。
【課題を解決するための手段】
【０００４】イ、ネジ▲３▼を設けたボルト▲１▼の一端にフランジ▲２▼を設けて、ボルトの底面▲９▼より、フランジ▲２▼の端の外周をネジ方向の下に下げて段差を付けて設ける。
ロ、フランジ▲２▼の裏の面と、ボルトの底面▲９▼の境に溝▲４▼を設けて、フランジ▲２▼の外周の周辺に複数の切り溝▲５▼を設ける。
【考案の実施と形態】
【０００５】  部材▲７▼に、フランジ▲２▼を設けたボルトのネジ▲３▼を通して、ボルトのネジ▲３▼をナット▲６▼のネジ穴にはめてボルトのネジ▲３▼を締めると、最初に、フランジ▲２▼の外周の端が部材▲７▼に当たり、ボルト▲１▼を強く回してネジ▲３▼を締めるとフランジ▲２▼は溝▲４▼から曲がってボルトの底▲９▼が部材▲７▼の表面を強く押してはさみ、バネのフランジ▲２▼は、部材▲７▼の表面を弾力性のあるバネの圧力で押し続けて広がり、ナット▲６▼の穴のネジと、フランジ▲２▼を設けたボルト▲１▼のネジ▲３▼は、ネジ同士の斜面が強く噛み合う。
したがって、ボルトのネジ▲３▼が振動を受けてもフランジ▲２▼のバネが振動を吸収してナット▲６▼の穴のネジにはめたフランジ▲２▼を設けたボルト▲１▼のネジ▲３▼は、ネジ同士の斜面が強くはさみ続けて、フランジ▲２▼を設けたボルト▲１▼のネジ▲３▼の緩むのを防止する。
【考案の効果】
【０００６】  フランジ▲２▼を設けたボルト▲１▼のネジ▲３▼は、ボルトのネジ▲３▼にスプリングワッシャをはめる手間がはぶける。
フランジ▲２▼を設けたボルト▲１▼のネジ▲３▼を部材▲７▼に緩めると、部材▲７▼にフランジ▲２▼のバネの圧力をかけて締めることが出来、ネジ▲３▼が振動を受けてもフランジ▲２▼のバネが振動を吸収して、フランジ▲２▼を設けたボルト▲１▼のネジ▲３▼の緩むのを防止する効果がある。
なお、フランジ▲２▼を設けたボルト▲１▼のネジ▲３▼を強く締めると、部材▲７▼の表面を押さえたネジ▲３▼の外周の広い範囲の面積をフランジ▲２▼のバネが弾力性のある力で押さえることが出来、フランジ▲２▼を設けたボルト▲１▼のネジ▲３▼に振動が伝わってもフランジ▲２▼のバネが振動を吸収してネジ▲３▼の緩むのを防止する効果がある。
また、フランジ▲２▼の端に設けた複数の切り溝▲５▼の空間の縁は、部材▲７▼の表面に強く密着して押し、部材▲７▼を押した強い抵抗力はボルトのネジ▲３▼の回り止めになる。
【本考案は次のようなことが出来る】
フランジ▲２▼の外周の周囲に設けた複数の溝▲５▼をフランジ▲２▼の外周の周囲に掘り込んで溝を設ける。
図３、複数の溝▲５▼を設けてバネに作ったフランジ▲２▼を穴のネジを設けたナット▲８▼の一端に設けて使用することが出来る。
【図面の簡単な説明】
【図１】  図１は、側面図
【図２】  図２は、背面図
【図３】  図３は、側面図
【図４】  図４は、平面図
【図５】  図５は、一部カットした側面図
【図６】  図６は、側面図
【符号の説明】１は、ボルト
２は、フランジ
３は、ネジ
４は、中央部の溝
５は、切り溝
６は、ナット
７は、部材
８は、フランジのバネを設けたナット
９は、ボルトの底
【図１】
0003204134.tif 000003
【図２】
0003204134.tif 000004
【図３】
0003204134.tif 000005
【図４】
0003204134.tif 000006
【図５】
0003204134.tif 000007
【図６】
0003204134.tif 000008
(57)【要約】      （修正有）【課題】装飾部の外周が透明な樹脂で保護された装飾玉であって、単に表面を保護するのみならず、しぼや縦横の織り糸で立体感を持つ縮緬模様シートであっても、その表面の立体感を阻害することなく保護して耐久性を持たせると共に、ソフト感を有する豪華な装飾ができる装飾玉を提供する。【解決手段】本考案は、表面が光沢反射層１で被覆された球状体２の外周面を、光透過性を有する薄い凹凸模様シート３で被覆し、更にその外周面を透明保護層４で被覆した。芯材となる球状体２は、表面を研磨した樹脂玉、天然又は模造真珠玉、いわゆるパール球、光沢金属球等が適用できる。凹凸模様シート３は薄手であって、透光性を有するものを用い、極薄の縮緬布が好適である。また、この凹凸模様シート３の裏面には極薄く粘着樹脂層６が施されていて、この粘着樹脂層６により球状体２の表面に仮止めされる。【選択図】図２
0003204109.tif 000002
【実用新案登録請求の範囲】
【請求項１】
表面が光沢反射層１で被覆された球状体２の外周面を、光透過性を有する薄い凹凸模様シート３で被覆し、更にその外周面を透明保護層４で被覆した装飾玉。
【請求項２】
光透過性を有する薄い凹凸模様シート３が縮緬布である請求項１に記載の装飾玉。
【考案の詳細な説明】
【技術分野】
【０００１】
本考案は、外周が透明樹脂で被覆保護され、球の装飾が縮緬装飾の直接反射による視感と模様の下層からの反射による視感とが重なって、ソフト感、立体感を改善させた装飾玉に関するものである。
【背景技術】
【０００２】
従来より、球芯材の表面に縮緬模様シートを装着し、その外周を透明樹脂層で覆い、模様シートの磨滅を防止するものが古くから知られている。しかしながら、芯材の外周に透明樹脂を射出成形により被覆しただけであったため、模様は縮緬模様の表面からの視感のみであったので、確かに模様は保護され、耐久性はあるが、深みの表現に欠けるものであった。また、樹脂コーティングが射出成形に拠るため、手作りのような少量生産には向き難い欠点もあった。
【特許文献１】特許第４９１９４６２号公報
【考案の開示】
【考案が解決しようとする課題】
【０００３】
本考案は、しぼや縦横の織り糸で立体感を持つ縮緬模様シートであっても、その表面の立体感を阻害することなく保護して耐久性を持たせると共に、そのランダムに凹凸があることを活用し、そのシートの下面に反射層を配置することにより、模様表面の通常の反射による視感に加え、下層の反射によるランダムな視感を加味させることにより、ソフト感を有する豪華な装飾ができる装飾玉を提供しようとするものである。
【課題を解決するための手段】
【０００４】
本考案の主たる特徴は、表面が光沢反射層１で被覆された球状体２の外周面を、光透過性を有する薄い凹凸模様シート３で被覆し、更にその外周面を透明保護層４で被覆にしたことであり、第２には、光透過性を有する薄い凹凸模様シート３を縮緬布としたことである。
【考案の効果】
【０００５】
本考案にあっては上述のようにしたから、装飾玉の模様が透明保護層４で保護されるのであるが、模様の見え方は、凹凸模様シート３の表面の通常の立体感に富んだ反射（図２矢印Ａ参照）のみならず、ランダムな凹凸に基づく厚さの偏在により、透過した光は、下層の光沢反射層１で反射される（図２矢印Ｂ参照）が、その反射光が不規則な方向、強さに拡散して、直接の反射光とは不規則に絡むことになり、その結果、陰影や凹凸があるところでは強調され、また他所ではソフト化されることになり、結果として、深い豪華な縮緬模様を得ることができる効果がある。
【０００６】
そして、凹凸模様シート３が縮緬であれば、樹脂が含浸されると、凹凸模様が平準化されると共に濡れた状態になるため、しぼの持つ凹凸感が阻害されるが、本考案では縮緬地特有の風合いを保って装飾できるものであり、また凹凸模様シート３が金襴の場合は、太い金糸、銀糸が織り成す凹凸模様が表現されるものであるが、その場合でも、樹脂の含浸による阻害はなく、金襴本来の優雅な凹凸を損なうことなく、豪華な装飾性を発揮できる。更に凹凸模様シート３が手漉き和紙のように素材自体が凹凸を有するものは勿論、西洋紙に平面的又はエンボス印刷をしたもの、写真印刷物であっても、樹脂の浸透による変形や変色の惧れがなく、素材の持つ風合いを保って配することができる。
【０００７】
また、樹脂の射出成形に拠らず、注型により透明保護層４を形成できるので、製造も容易となり、一つずつ大きさが異なるような手作り装飾玉であっても対処が容易である。尚、切込み１２を重ねる巻き付け合わせ部を球状体２の片側に偏在させた場合には、接合で一部が重なり、若干見栄えが落ちる可能性がある部分が最小限に抑えられる。
【考案を実施するための最良の形態】
【０００８】
図１は本考案の一実施例の概略を示すもので、芯材となる球状体２は、表面が光沢反射層１を有するもので、表面を研磨した樹脂玉、天然又は模造真珠玉、いわゆるパール球、光沢金属球等が適用できる。凹凸模様シート３は薄手であって、透光性を有するものを用い、厚みがランダムであって立体感に富んだ極薄の縮緬布が好適である。また、特に限定はしないが、この凹凸模様シート３の裏面には極薄く粘着樹脂層６が施されていて、この粘着樹脂層６により球状体２の表面に仮止めされる。
【０００９】
凹凸模様シート３の球状体２への装着に当たっては、凹凸模様シート３を図３のように適宜大きさにカットし、適宜切込み１２を放射状に施して上記粘着樹脂層６により仮止めした状態で装着し、これを注型用のシリコン樹脂型７、８間に挿入する。この場合、球状体２に心材９を通しておき、湯道１０から２液硬化型の樹脂（例えばエポキシ樹脂）を注ぎ込み、これを加熱器に適宜時間投入して硬化させて、凹凸模様シート３の表面に透明保護層４を形成することができる。湯道１０に該当する部分は所謂へそ１１となるので、バリ等と共に除去、研磨して仕上げることができる。
【００１０】
凹凸模様シート３の具体例として、縮緬地、金襴、手漉き和紙等が主なものであるが、それ以外にも通常の布、素材に立体感、立体模様を有するものであれば、任意に選定できることは勿論である。また、球状体以外に変形した球状体や多角面体であっても構わない。
【産業上の利用可能性】
【００１１】
本考案は、それ自体、装飾玉であって、単独での装飾品とすることもできるが、その他、糸や紐、針金等に通して数珠やネックレス、ブレスレット等の装飾品として適用できる。
【図面の簡単な説明】
【００１２】
【図１】本考案の一実施例の概略断面図。
【図２】同上の作用説明図。
【図３】同上の作成過程の概略説明図。
【符号の説明】
【００１３】
１は光沢反射層、２は球状体、３は凹凸模様シート、４は透明保護層。
【図１】
0003204109.tif 000003
【図２】
0003204109.tif 000004
【図３】
0003204109.tif 000005